(57)【要約】【課題】室外ユニットの底板部材への脚部材の装着状態や装着作業を向上させる。【解決手段】空気調和装置の室外ユニットは、底板部材を含むケーシングと、その底板部材に装着される脚部材４０とを備える。底板部材は、水平部と、その水平部から略垂直に立ち上がる垂直部とを有する。脚部材４０は、水平部と対向し水平部に固定される水平装着部４４，４５と、垂直部と対向し垂直部に固定される垂直タブ４６と、それとは別の垂直タブ４７とを有する。【選択図】図３
2010071517.tif 000002
【特許請求の範囲】
【請求項１】
底板部材（３０）を含むケーシング（３）と、
前記底板部材に装着される脚部材（４０）と、
を備え、
前記底板部材は、第１水平部（３１）と、前記第１水平部から略垂直に立ち上がる第１垂直部（３２）とを有し、
前記脚部材は、前記第１水平部と対向し前記第１水平部に固定される第２水平部（４４，４５）と、前記第１垂直部と対向し前記第１垂直部に固定される第２垂直部（４６，４７）と、前記第２垂直部とは別の第３垂直部（４７，４６）とを有する、
空気調和装置の室外ユニット（１）。
【請求項２】
前記底板部材には、前記第３垂直部が貫通可能な開口（３３）が形成されており、
前記脚部材は、前記底板部材への装着時に、前記第３垂直部（４７，４６）が前記開口（３３）に挿入される、
請求項１に記載の空気調和装置の室外ユニット。
【請求項３】
前記第１垂直部と前記第２垂直部とには、それぞれ孔（３２ａ，４６ａ，４７ａ）が形成されており、
前記第１垂直部と前記第２垂直部とは、ネジ（５１）或いはボルト，ナットによって締結されている、
請求項１又は２に記載の空気調和装置の室外ユニット。
【請求項４】
前記第１垂直部は、前記ケーシングの前面（３ａ）と平行であり、
前記ネジ或いはボルトは、前記第１垂直部と前記第２垂直部とを前後に締結している、
請求項３に記載の空気調和装置の室外ユニット。
【請求項５】
前記第１水平部と前記第２水平部とは、ネジ或いはボルト，ナットによって締結されている、
請求項３又は４に記載の空気調和装置の室外ユニット。
【発明の詳細な説明】
【技術分野】
【０００１】
本発明は、空気調和装置の室外ユニット、特に、その底板部材および脚部材の構造に関する。
【背景技術】
【０００２】
空気調和装置の室外ユニットとして、直方体の箱状のケーシングを備え、そのケーシングの内部が仕切板により送風機室と機械室とに分割された構造を有するものがある。送風機室には、室外熱交換器や室外ファンが配置されている。また、機械室には、圧縮機、アキュムレータやレシーバ等の液冷媒を溜めることが可能な液溜容器、バルブ類、冷媒配管などが配置されている。このような室外ユニットは、冷媒連絡配管を介して室内ユニットに接続されている。
【０００３】
空気調和装置の室外ユニットは、例えば特許文献１に示すもののように、ケーシングとは別の脚部材を備えていることがある。脚部材は、水平面と平行な水平部を有し、その水平部がケーシングの底板部材に当接し、ボルトやネジによって底板部材に締結される。特許文献１の室外ユニットにおいても、ボルト，ナットによって底板（底板部材）に脚体（脚部材）が取り付けられている。
【特許文献１】特開平１０−３１８５６１号公報
【発明の開示】
【発明が解決しようとする課題】
【０００４】
このような、脚部材を備える空気調和装置の室外ユニットでは、底板部材の水平部と脚部材とが締結される構造を採ることが多い。しかし、ボルトやネジのサイズに対して底板部材や脚部材に設ける孔のサイズが大きいことから、両者の相対位置が設計寸法から少しずれることがある。また、底板部材の水平部の孔と脚部材の孔とを組立時に合わせる必要があるが、その作業を容易にすることが求められている。
【０００５】
本発明の課題は、室外ユニットの底板部材への脚部材の装着状態や装着作業を向上させることにある。
【課題を解決するための手段】
【０００６】
第１発明に係る空気調和装置の室外ユニットは、底板部材を含むケーシングと、その底板部材に装着される脚部材とを備えている。底板部材は、第１水平部と、その第１水平部から略垂直に立ち上がる第１垂直部とを有している。脚部材は、第１水平部と対向し第１水平部に固定される第２水平部と、第１垂直部と対向し第１垂直部に固定される第２垂直部と、その第２垂直部とは別の第３垂直部とを有している。
【０００７】
ここでは、脚部材の第２水平部及び第２垂直部がケーシングの底板部材に固定されるが、従来から存在する第２水平部に加えて第２垂直部および第３垂直部を設け、第２垂直部を底板部材の第１垂直部に固定させている。これらの第２垂直部および第３垂直部が存在しているため、平面視における脚部材と底板部材との位置合わせが容易になり、底板部材への脚部材の装着作業性が向上する。また、脚部材と底板部材とが平面的にずれる恐れが小さくなる。
【０００８】
第２発明に係る空気調和装置の室外ユニットは、第１発明の室外ユニットであって、底板部材には、第３垂直部が貫通可能な開口が形成されている。また、脚部材の底板部材への装着時に、脚部材の第３垂直部が底板部材の開口に挿入される。
【０００９】
ここでは、底板部材に開口が形成されているので、脚部材の底板部材への装着作業において、まず、第３垂直部を底板部材の開口に挿入することで、底板部材に対する脚部材の平面的な位置決めを行い、その後に、第１水平部と第２水平部との固定や第１垂直部と第２垂直部との固定という作業を行うことができる。このため、底板部材への脚部材の装着の作業性が向上する。
【００１０】
なお、底板部材の開口の大きさは、脚部材の第３垂直部の横断面よりも少し大きい程度であることが望ましい。両者の大きさが近いほど、底板部材に対する脚部材の平面的な位置決めの精度が高くなり、作業性がより良くなる。
【００１１】
第３発明に係る空気調和装置の室外ユニットは、第１又は第２発明の室外ユニットであって、第１垂直部と第２垂直部とには、それぞれ孔が形成されている。そして、第１垂直部と第２垂直部とは、ネジ或いはボルト，ナットによって締結されている。
【００１２】
ここでは、ネジ或いはボルト，ナットにより底板部材の第１垂直部と脚部材の第２垂直部とが適正に強固に締結されるため、底板部材への脚部材の装着状態が更に向上する。
【００１３】
第４発明に係る空気調和装置の室外ユニットは、第３発明の室外ユニットであって、第１垂直部は、ケーシングの前面と平行である。そして、ネジ或いはボルトは、第１垂直部と第２垂直部とを前後に締結している。
【００１４】
空気調和装置の室外ユニットでは、内蔵部品である室外ファンがケーシング前面に形成された吹出口から前方に風を吹き出すものが多く、その反力によって底板部材の第１水平部と脚部材の第２水平部とが前後にずれることも想定され得る。しかし、第３発明の室外ユニットでは、ケーシングの前面と平行な第１垂直部に対して脚部材の第２垂直部がネジ或いはボルト，ナットによって前後に締結されるため、そのような前後にずれる現象が抑えられる。
【００１５】
第５発明に係る空気調和装置の室外ユニットは、第３又は第４発明の室外ユニットであって、第１水平部と第２水平部とは、ネジ或いはボルト，ナットによって締結されている。
【００１６】
ここでは、ネジ或いはボルト，ナットによる第１垂直部と第２垂直部との締結に加え、ネジ或いはボルト，ナットによる第１水平部と第２水平部との締結が為されているため、底板部材への脚部材の装着状態が更に強固になる。
【発明の効果】
【００１７】
第１発明，第２発明に係る室外ユニットでは、平面視における脚部材と底板部材との位置合わせが容易になり、底板部材への脚部材の装着作業性が向上する。
【００１８】
第３発明，第５発明に係る室外ユニットでは、底板部材への脚部材の装着状態が更に向上する。
【００１９】
第４発明に係る室外ユニットでは、脚部材と底板部材とが前後にずれることが抑えられる。
【発明を実施するための最良の形態】
【００２０】
＜室外ユニットの概略構成＞
本発明の一実施形態にかかる空気調和装置の室外ユニットを、図１に示す。図１は、空気調和装置の室外ユニット１を示す斜視図である。室外ユニット１は、空気調和を行う空調対象空間（室内）の外部に設置されており、略直方体箱状のユニットケーシング３の内部が、鉛直に延びる仕切板（図示せず）によって送風機室Ｓ１と機械室Ｓ２とに分割されている。この室外ユニット１は、空調対象空間に配置される室内ユニット（図示せず）に冷媒連絡配管（図示せず）を介して接続されている。
【００２１】
室外ユニット１は、主に、略箱状のユニットケーシング３と、室外ファン（図示せず）と、熱交換器、圧縮機、弁、配管などを含み冷媒回路を構成する冷媒回路構成部品（図示せず）と、運転制御を行う電装品ユニット（図示せず）と、ユニットケーシング３と設置場所の床面との間に位置することになる脚部材４０とを備えている。
【００２２】
＜ユニットケーシング及びユニットケーシングの底板部材の構成＞
ユニットケーシング３には、前面３ａの中央部および左部に位置する吹出口が形成されており、室外ファンにより送り出された空気が、吹出口から前方に吹き出される。
【００２３】
ユニットケーシング３は、天板部材や側板部材に加えて、底板部材３０を有している。底板部材３０は、図２に示すように、主として、平面視で略長方形の形状を持ち水平面に沿う水平部３１と、その水平部３１の四辺の縁部それぞれから鉛直上方に立ち上がる垂直部３２とから構成されている。垂直部３２は、プレス成形によって、水平部３１と一体に形成されるものである。このプレス成形により、水平部３１には、強度アップのための浅い凹凸や溝が形成されている。また、水平部３１には、後述する脚部材４０のバーリング穴４９に対応する位置に、孔が開けられる。さらに、水平部３１には、後述する脚部材４０の右垂直タブ４６および左垂直タブ４７のうち垂直部３２に隣接しない一方のタブを貫通させる長方形開口３３が開けられている（図６参照）。この長方形開口３３は、右垂直タブ４６および左垂直タブ４７それぞれの横断面よりも、幅寸法、奥行き寸法とも少しだけ大きく形成されている。
【００２４】
＜脚部材の構成＞
脚部材４０は、室外ユニット１を設置する場所の地面（床面）に直接当たる部材であり、ユニットケーシング３の底板部材３０と地面との間にスペースを確保する役割や、アンカーボルトなどによって室外ユニット１を地面に固定させる役割を果たす。
【００２５】
図３〜図６に示すように、脚部材４０は、主として、地面に当たる接地部４１と、その接地部４１の左右端から鉛直上方に立ち上がる右垂直部４２および左垂直部４３と、それら右垂直部４２および左垂直部４３の上端から水平面に沿って外方に延びる右水平装着部４４および左水平装着部４５と、右垂直タブ４６および左垂直タブ４７とから構成されている。
【００２６】
接地部４１は、底板部材３０の奥行き寸法よりも長く前後に延びる板状の部分であり、図２に示すように、平面視において底板部材３０からはみ出す前後の端部に、アンカーボルトなどで地面に固定できるように、切り欠きが形成されている。
【００２７】
接地部４１の左右両端部から垂直に立ち上がる右垂直部４２および左垂直部４３は、図４に示すように、上部の前後長が下部の前後長よりも短くなっている。右垂直部４２および左垂直部４３の上部の前後長は、底板部材３０の奥行き寸法よりも少し短い。
【００２８】
右水平装着部４４および左水平装着部４５は、右垂直部４２および左垂直部４３の上端から右外方，左外方にそれぞれ水平面に沿って延びる部分である。右水平装着部４４および左水平装着部４５の上面は、底板部材３０の水平部３１の下面に当接し、図示しないネジによって底板部材３０の水平部３１に固定される。ネジは、右水平装着部４４および左水平装着部４５に形成された複数の下向きのバーリング穴４９（図３〜図５参照）に、下方から挿入される。
【００２９】
右垂直タブ４６および左垂直タブ４７は、右水平装着部４４および左水平装着部４５の前端から垂直上方に立ち上がる板状部分であり、折り曲げ加工によって形成される。すなわち、右垂直タブ４６および左垂直タブ４７は、ユニットケーシング３の前面３ａと平行である。脚部材４０は、素材である金属板にプレス加工や曲げ加工を施して成形するものであり、各部４１〜４７は一体である。右垂直タブ４６および左垂直タブ４７には、板厚方向（前後方向）に貫通する孔４６ａ，４７ａが形成されている（図５，図６参照）。
【００３０】
＜脚部材の底板部材への装着について＞
上述の構成を持つ脚部材４０は、底板部材３０の右側部分の下面と左側部分の下面とに、それぞれ装着される。どちらにも、同じ脚部材４０が装着される。すなわち、１台の室外ユニット１について、２つの同じ脚部材４０が用意されている。
【００３１】
底板部材３０の右側部分の水平部３１の下面に装着される脚部材４０は、図６（右側）に示すように、左垂直タブ４７が底板部材３０の長方形開口３３に差し込まれるように、下方から底板部材３０に当てられる。これにより、右垂直タブ４６が底板部材３０の垂直部３２に隣接し、平面視においてバーリング穴４９の幾つかが底板部材３０の水平部３１の孔の場所に位置するようになる。そして、バーリング穴４９の下方からネジを挿入し、底板部材３０の水平部３１に脚部材４０の右水平装着部４４および左水平装着部４５を締結させる。また、脚部材４０の右水平装着部４４および左水平装着部４５を底板部材３０の水平部３１に当接させると、右垂直タブ４６の孔４６ａが、隣接する底板部材３０の垂直部３２に開けられている孔３２ａ（図６参照）と正面視において重なる位置にくる。それらの孔３２ａ，４６ａを貫通するように、ネジ５１を挿入してねじ込む。これにより、右垂直タブ４６と、それに隣接する底板部材３０の垂直部３２の一部分とが、前後に強固に締結される。
【００３２】
底板部材３０の左側部分の水平部３１の下面に装着される脚部材４０は、図６（左側）に示すように、右垂直タブ４６が底板部材３０の長方形開口３３に差し込まれるように、下方から底板部材３０に当てられる。これにより、左垂直タブ４７が底板部材３０の垂直部３２に隣接し、平面視においてバーリング穴４９の幾つかが底板部材３０の水平部３１の孔の場所に位置するようになる。そして、バーリング穴４９の下方からネジを挿入し、底板部材３０の水平部３１に脚部材４０の右水平装着部４４および左水平装着部４５を締結させる。また、脚部材４０の右水平装着部４４および左水平装着部４５を底板部材３０の水平部３１に当接させると、左垂直タブ４７の孔４７ａが、隣接する底板部材３０の垂直部３２に開けられている孔３２ａ（図６参照）と正面視において重なる位置にくる。それらの孔３２ａ，４７ａを貫通するように、ネジ５１を挿入してねじ込む。これにより、左垂直タブ４７と、それに隣接する底板部材３０の垂直部３２の一部分とが、前後に強固に締結される。
【００３３】
＜室外ユニットの特徴＞
（１）
室外ユニット１では、脚部材４０の右水平装着部４４および左水平装着部４５と右垂直タブ４６および左垂直タブ４７とが底板部材３０に固定されるが、従来から存在する右水平装着部４４および左水平装着部４５に加えて右垂直タブ４６および左垂直タブ４７を設け、それらの一方のタブを底板部材３０の長方形開口３３に差し込ませ、他方のタブを底板部材３０の垂直部３２に固定させている。
【００３４】
このため、平面視における脚部材４０と底板部材３０との位置合わせが容易になり、底板部材３０への脚部材４０の装着作業性が向上している。また、脚部材４０と底板部材３０とが平面的にずれることが殆どなくなる。
【００３５】
（２）
室外ユニット１では、右垂直タブ４６および左垂直タブ４７に、それぞれ孔４６ａ，４７ａを形成している。そして、脚部材４０の右垂直タブ４６或いは左垂直タブ４７と、底板部材３０の垂直部３２とが、ネジ５１によって締結されている。
【００３６】
ここでは、ネジ５１により底板部材３０の垂直部３２と脚部材４０の右垂直タブ４６或いは左垂直タブ４７とが適正に強固に締結されるため、底板部材３０への脚部材４０の装着状態が非常に良くなっている。
【００３７】
特に、空気調和装置の室外ユニット１では、室外ファンがユニットケーシング３の前面３ａに形成された吹出口から前方に風を吹き出すため、その反力によって底板部材３０の水平部３１と脚部材４０の右水平装着部４４および左水平装着部４５とが前後にずれることも想定され得る。しかし、ここでは、そのような前後のズレが抑えられる。
【００３８】
なお、ここではネジ５１を採用しているが、ネジ５１の代わりにボルト，ナットを用いてもよい。また、作業性は少し劣るが、溶接によって底板部材３０の垂直部３２と脚部材４０の右垂直タブ４６或いは左垂直タブ４７とを固定することも可能である。底板部材３０の水平部３１と脚部材４０の右水平装着部４４および左水平装着部４５との固定についても、ネジの代わりにボルト，ナットを用いたり、ネジ等による締結ではなく溶接という固定方法を採用することが可能である。
【図面の簡単な説明】
【００３９】
【図１】本発明の一実施形態に係る空気調和装置の室外ユニットの外観斜視図。
【図２】脚部材が装着された室外ユニットの底板部材の平面図。
【図３】脚部材の平面図（紙面の手前が上側、紙面の奥が下側）。
【図４】脚部材の側面図。
【図５】脚部材の正面図。
【図６】図３の一部拡大図。
【符号の説明】
【００４０】
１    空気調和装置の室外ユニット
３    ユニットケーシング
３ａ  ユニットケーシングの前面
３０    底板部材
３１    水平部（第１水平部）
３２    垂直部（第１垂直部）
３２ａ  孔
４０    脚部材
４４    右水平装着部（第２水平部）
４５    左水平装着部（第２水平部）
４６    右垂直タブ（第２垂直部，第３垂直部）
４６ａ  孔
４７    左垂直タブ（第３垂直部，第２垂直部）
４７ａ  孔
５１    ネジ
【図１】
2010071517.tif 000003
【図２】
2010071517.tif 000004
【図３】
2010071517.tif 000005
【図４】
2010071517.tif 000006
【図５】
2010071517.tif 000007
【図６】
2010071517.tif 000008